【事件の表示】
　平成　９年特許願第　１３１３０号「有機発光ダイオード・アレイ駆動装置」拒絶査定不服審判事件〔平成　９年１０月３１日出願公開、特開平　９−２８１９０２〕について、次のとおり審決する。
【結　論】
　本件審判の請求は、成り立たない。
【理　由】
１　手続の経緯
　本願は、優先権主張を伴う平成９年１月８日（第一国：アメリカ合衆国、優先日、１９９６年１月１１日、出願番号：５８４８２７号）の出願であって、平成１８年１１月２９日付けの手続補正を、平成１９年５月１４日付けの補正の却下の決定により却下した後、同日付け（発送日：平成１９年５月１７日）で拒絶査定がなされ、これに対して平成１９年７月２６日に拒絶査定不服審判の請求がなされるとともに、同日付けで明細書を対象とする手続補正がなされたものである。
　
２　平成１９年７月２６日付け手続補正についての補正却下の決定
［補正却下の決定の結論］
　平成１９年７月２６日付け手続補正を却下する。
［理由］独立特許要件違反
　平成１９年７月２６日付け手続補正（以下、「本件補正」という。）により、特許請求の範囲の請求項１は、
「【請求項１】
　各々が電流源（３７）及び第１休止電位（３８）のいずれにも接続可能である複数の第１スイッチ（３５）と、
　各々が電源（４５）及び第２休止電位（４３）のいずれにも接続可能である複数の第２スイッチ（４０）と、
　有機発光ダイオードの行（１３）及び有機発光ダイオードの列（１４）に接続された複数の有機発光ダイオードを含むアレイ（１０）であって、各有機発光ダイオードが、前記複数の第１スイッチ（３５）の１つに接続された第１接点（１４）と、前記複数の第２スイッチ（４０）の１つに接続された第２接点（１３）とを有する、前記アレイ（１０）と、
　前記複数の第１及び第２スイッチ（３５，４０）に接続された制御装置（２６）であって、前記複数の第１スイッチ（３５）の内選択されたスイッチを前記電流源（３７）に接続しながら、前記複数の第１スイッチ（３５）の残りのスイッチ全てを前記第１休止電位（３８）に接続された状態で保持し、且つ前記複数の第２スイッチ（４０）の内選択されたスイッチを前記電源（４５）に接続しながら、前記複数の第２スイッチ（４０）の残りのスイッチ全てを前記第２休止電位（４３）に接続された状態で保持する制御装置（２６）と、を備え、
　選択されたスイッチ間に結合された有機発光ダイオードが、順方向にバイアスされ、且つ残りのスイッチ間に結合された有機発光ダイオードが、逆バイアスされている、
有機発光ダイオード・アレイ（１０）用駆動装置（１２）。」から、
　
「【請求項１】
　各々が電流源（３７）及び第１休止電位（３８）のいずれにも接続可能である複数の第１スイッチ（３５）と、
　各々が電源（４５）及び第２休止電位（４３）のいずれにも接続可能である複数の第２スイッチ（４０）と、
　有機発光ダイオードの行（１３）及び有機発光ダイオードの列（１４）に接続された複数の有機発光ダイオード（１５）を含むアレイ（１０）であって、各有機発光ダイオード（１５）が、前記複数の第１スイッチ（３５）の１つに接続された第１接点（１４）と、前記複数の第２スイッチ（４０）の１つに接続された第２接点（１３）とを有する、前記アレイ（１０）と、
　前記複数の第１及び第２スイッチ（３５，４０）に接続された制御装置（２６）であって、前記複数の第１スイッチ（３５）の内選択されたスイッチを前記電流源（３７）のみに接続しながら、前記複数の第１スイッチ（３５）の残りのスイッチ全てを前記第１休止電位（３８）に接続されただけの状態で保持し、且つ前記複数の第２スイッチ（４０）の内選択されたスイッチを前記電源（４５）のみに接続しながら、前記複数の第２スイッチ（４０）の残りのスイッチ全てを前記第２休止電位（４３）に接続されただけの状態で保持する制御装置（２６）と、を備え、
　選択されたスイッチ（３５，４０）間に結合された有機発光ダイオード（１５）が、順方向にバイアスされ、且つ残りのスイッチ間に結合された有機発光ダイオードが、逆バイアスされている、
有機発光ダイオード・アレイ（１０）用駆動装置（１２）。」
に補正された。
　
　そして、この補正は、
（ア）補正前の「前記複数の第１スイッチ（３５）の内選択されたスイッチを前記電流源（３７）に接続」について、「前記複数の第１スイッチ（３５）の内選択されたスイッチを前記電流源（３７）のみに接続」と限定し、
（イ）補正前の「複数の第１スイッチ（３５）の残りのスイッチ全てを前記第１休止電位（３８）に接続された状態で保持」について、「複数の第１スイッチ（３５）の残りのスイッチ全てを前記第１休止電位（３８）に接続されただけの状態で保持」と限定し、
（ウ）補正前の「複数の第２スイッチ（４０）の内選択されたスイッチを前記電源（４５）に接続」について、「複数の第２スイッチ（４０）の内選択されたスイッチを前記電源（４５）のみに接続」と限定し、
（エ）補正前の「複数の第２スイッチ（４０）の残りのスイッチ全てを前記第２休止電位（４３）に接続された状態で保持」について、「複数の第２スイッチ（４０）の残りのスイッチ全てを前記第２休止電位（４３）に接続されただけの状態で保持」と限定するものである。
　
　したがって、この補正は特許請求の範囲の減縮を目的とするものに該当する。
　そこで、本件補正後の請求項１に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。
　
（１）本件補正後の本願発明
　本願の請求項１に係る発明（以下、「本願補正発明」という。）は、本件補正により補正された明細書及び図面の記載からみて、その請求項１に記載されたとおりのものと認める。
　
（２）引用刊行物に記載された発明
　原査定の拒絶の理由に引用され、本願の優先日前の平成６年１０月２８日に頒布された刊行物である特開平６−３０１３５５号公報（以下、「引用刊行物１」という。）には、「有機薄膜ＥＬ素子の駆動方法」の発明に関して、図面とともに以下の事項が記載されている。
　
＜記載事項１＞
「【０００１】
【産業上の利用分野】本発明は、有機薄膜のエレクトロルミネッセンス（以下、ＥＬという）現象を利用した有機薄膜ＥＬ素子の駆動方法に係わり、特に非選択の単体素子における半励起半発光状態を防止し、かつ、階調表示の安定性を向上し得る有機薄膜ＥＬ素子の駆動方法に関する。」
　
＜記載事項２＞
「【００１６】図８はこの種の有機薄膜ＥＬ素子におけるマトリックス駆動の等価回路を示す図である。この有機薄膜ＥＬ素子は、有機物からなる発光層としての複数の発光ダイオードＤが各々対応する複数の単位電極からなるストライプ状のデータ電極Ｙ1 〜Ｙm 及び走査電極Ｘ1 〜Ｘn （第１及び第２のストライプ電極）によりマトリックス状に挟持されている。各データ電極Ｙ1 〜Ｙm （第１の単位電極）は各データ電極Ｙ1 〜Ｙm 毎に電極切替部を有する行選択切替部６を介して駆動電圧ＶＢをもつ駆動電源系統に接続されている。また、各走査電極Ｘ1 〜Ｘn （第２の単位電極）は各走査電極Ｘ1 〜Ｘn 毎にノーマリオフのＭＯＳＦＥＴ７1 〜７n を有する列選択切替部８に接続されている。なお、行及び列選択切替部６，８は、表示対象の表示データが記憶された半導体メモリに基づいて制御部（図示せず）に制御されている。
【００１７】ここで、各電極切替部は、電極切替回路９1 〜９m 、ｎｐｎ型のバイポーラトランジスタ１０1 〜１０m 及びノーマリオンのＭＯＳＦＥＴ１１1 〜１１m からなり、バイポーラトランジスタ１０1 〜１０m のコレクタ端子が駆動電源系統に接続され、かつ、バイポーラトランジスタ１０1 〜１０m のエミッタ端子及びＭＯＳＦＥＴ１１1 〜１１m のソース端子が対応するデータ電極Ｙ1 〜Ｙm に接続されている。また、このＭＯＳＦＥＴ１１1 〜１１m のドレイン端子はアースに接続され、かつ、バイポーラトランジスタ１０1 〜１０m のベース端子及びＭＯＳＦＥＴ１１1 〜１１m のゲート端子は電極切替回路９1 〜９m の第１及び第２の出力部に接続されている。
【００１８】列選択切替部８のＭＯＳＦＥＴ７1 〜７n は、対応する走査電極Ｘ1 〜Ｘn がソース端子に接続され、ゲート端子への信号入力により該走査電極をドレイン端子を介してアースに接続可能としている。
【００１９】従って、データ電極Ｙ1 〜Ｙm は励起状態（発光）では順バイアス、非励起状態ではアースに接続され、走査電極Ｘ1 〜Ｘn は選択時にアース、非選択時にはフロートに保持されている。
【００２０】次に、このような有機薄膜ＥＬ素子のマトリックス駆動について述べる。
【００２１】まず、制御部では、表示対象の各位置に対応する画素（Ｘｉ，Ｙl ）を示す電極切替信号を行及び列選択切替部６，８に送出する。この電極切替信号により、走査電極Ｘｉに対応するＭＯＳＦＥＴ７ｉのゲートと、データ電極Ｙl に対応するバイポーラトランジスタ１０l のベース及びＭＯＳＦＥＴ１１l のゲートとに夫々同期してハイレベルのパルスが入力されると、走査電極Ｘｉがアースされ、データ電極Ｙl が順バイアス電圧ＶＢにラッチされる。
【００２２】このとき、順バイアスの駆動電圧ＶＢが発光しきい値以上の十分な電圧であれば、画素（Ｘｉ，Ｙl ）に対応する発光ダイオードＤに電流が流入し、電子輸送発光層が励起されて発光する。
【００２３】一方、非選択のデータ電極Ｙｋ（ｋ≠l ）はアースされているので、Ｙｋ電極上の発光ダイオードＤには電圧はかからず、発光しない。また、非選択の走査電極Ｘｊ（ｊ≠ｉ）はフロート状態にラッチされ、定常状態では電流は流れない。このようにして、Ｘｉ電極上に発光、非発光状態が形成され、この発光、非発光状態を選択電極をシフトしながら繰り返し表示することにより、所望の画像を表示している。」
　
＜記載事項３＞
「【００３９】図２はこのような有機薄膜ＥＬ素子におけるマトリックス駆動の等価回路を示す図であり、図８と同一部分には同一符号を付してその詳しい説明は省略し、ここでは異なる部分についてのみ述べる。
【００４０】すなわち、本発明に適用される装置は、選択された電極以外の電流を阻止して半励起半発光状態を防止するために、陰極に対応する各走査電極Ｘ1 〜Ｘn と駆動電源系統とが個別にプルアップ抵抗Ｒｃで接続されている。
【００４１】次に、このような有機薄膜ＥＬ素子の駆動方法について図２を用いて説明する。
【００４２】制御部は、表示対象の各位置に対応する画素（Ｘｉ，Ｙl ）を選択する電極切替信号を行及び列選択切替部６，８に送出する。この電極切替信号により、走査電極Ｘｉに対応するＭＯＳＦＥＴ７ｉのゲートと、データ電極Ｙl に対応するバイポーラトランジスタ１０l のベース及びＭＯＳＦＥＴ１１l とに夫々同期してハイレベルのパルスが入力されると、走査電極Ｘｉがアースされ、データ電極Ｙl が順バイアスの駆動電圧ＶＢにラッチされて、画素（Ｘｉ，Ｙl ）が発光する。
【００４３】このとき、走査電極Ｘｉ以外の非選択の走査電極Ｘｊ（ｊ≠ｉ）は、プルアップ抵抗Ｒｃを介して逆バイアスの駆動電圧ＶＢにラッチされている。従って、順バイアス電圧ＶＢにラッチされたデータ電極Ｙl と、逆バイアス電圧ＶＢにラッチされた走査電極Ｘｊ（ｊ≠ｉ）との電位差は僅少又は零となる。このように非選択電極間では、電位差が小さいために、しきい値以下の電圧しか発光ダイオードＤに印加されず、前述した半励起半発光状態が阻止されてクロストーク現象が防止される。
【００４４】また、逆バイアス電圧ＶＢにラッチされた走査電極Ｘｊ（ｊ≠ｉ）に対向する非選択のデータ電極Ｙｋ（ｋ≠l ）は、対応するバイポーラトランジスタ１０のエミッタ電位が零である。よって、これら走査電極Ｘｊ及び非選択のデータ電極Ｙｋとの間の発光ダイオードＤは逆バイアス電圧ＶＢが印加されることにより、確実に非励起状態に保持される。
【００４５】なお、プルアップ抵抗Ｒｃにより走査電極Ｘｉに印加された逆バイアスの駆動電圧ＶＢは、画素（Ｘｉ，Ｙl ）が発光する際には走査電極Ｘｉがアースされているので、当該抵抗Ｒｃを介して電流をアースに流すだけであり、ＥＬ素子に影響を及ぼさない。」
　
＜記載事項４＞
「【００７５】また、上記第１の実施例では、プルアップ抵抗Ｒｃにより、非選択の走査電極に駆動電圧ＶＢを与えて非選択電極間に発光しきい値以下の電圧を印加する場合について説明したが、これに限らず、ある電極の選択に同期してトランジスタ等のスイッチング素子により、非選択の走査電極に駆動電圧ＶＢを与えて当該非選択電極間に発光しきい値以下の電圧を印加する構成としても、本発明を同様に実施して同様の効果を得ることができる。」
　
　上記記載事項２、３及び図２、８からみて、行を構成する複数のデータ電極及び列を構成する複数の走査電極により、有機物からなる複数の発光ダイオードＤがマトリックス状に挟持された有機薄膜ＥＬ素子が読み取れる。
　
　上記記載事項２、３及び図２、８からみて、発光ダイオードＤの陽極がデータ電極に、陰極が走査電極に接続されていることが読み取れる。
　
　よって、前記記載事項１乃至４及び図面の記載からみて、引用刊行物１には、以下の発明が記載されているものと認められる。
「各データ電極毎に有する電極切替部であって、駆動電圧ＶＢをもつ駆動電源系統、又はアースに接続する複数の電極切替部と、
　各走査電極毎に有する、アースに接続可能な複数のＭＯＳＦＥＴ７と、
　行を構成する複数のデータ電極及び列を構成する複数の走査電極により、有機物からなる複数の発光ダイオードＤがマトリックス状に挟持された有機薄膜ＥＬ素子であって、各有機物からなる発光ダイオードＤが、前記データ電極に接続された陽極と、前記走査電極に接続された陰極とを有する、前記有機薄膜ＥＬ素子と、
　前記複数の電極切替部及び複数のＭＯＳＦＥＴ７に電極切替信号を送出する制御部であって、前記複数の電極切替部の内選択された電極切替部を前記駆動電源系統のみに接続しながら、前記複数の電極切替部の残りの電極切替部全てを前記アースに接続されただけの状態で保持し、且つ前記複数のＭＯＳＦＥＴ７の内選択されたＭＯＳＦＥＴ７を前記アースのみに接続しながら、前記複数のＭＯＳＦＥＴ７の残りのＭＯＳＦＥＴ７全てを非選択とし、非選択の走査電極をプルアップ抵抗Ｒｃを介して逆バイアスの駆動電圧ＶＢにラッチする状態で保持する制御部と、を備え、
　選択された電極切替部、ＭＯＳＦＥＴ７との間の有機物からなる発光ダイオードＤが、データ電極が順バイアス電圧ＶＢにラッチされ、走査電極がアースされることにより発光し、且つ残りの電極切替部、ＭＯＳＦＥＴ７との間の有機物からなる発光ダイオードＤは、逆バイアス電圧ＶＢが印加されている
有機物からなる発光ダイオードがマトリックス状に挟持された有機薄膜ＥＬ素子の駆動装置。」（以下、「引用発明１」という。）
　
（３）対比
　本願補正発明と引用発明１とを対比する。
　
　引用発明１の「駆動電圧ＶＢをもつ駆動電源系統」と、本願補正発明の「電流源（３７）」とは、「電源」という点で共通する。
　引用発明１の「アース」、「電極切替部」は、それぞれ本願補正発明の「第１休止電位（３８）」、「第１スイッチ（３５）」に相当する。
　したがって、引用発明１の「各データ電極毎に有する電極切替部であって、駆動電圧ＶＢをもつ駆動電源系統、又はアースに接続する複数の電極切替部」と本願補正発明の「各々が電流源（３７）及び第１休止電位（３８）のいずれにも接続可能である複数の第１スイッチ（３５）」とは、「各々が電源及び第１休止電位（３８）のいずれにも接続可能である複数の第１スイッチ（３５）」という点で共通する。
　
　引用発明１の「アース」、「ＭＯＳＦＥＴ７」は、それぞれ本願補正発明の「電源（４５）」、「第２スイッチ（４０）」に相当するから、引用発明１の「各走査電極毎に有する、アースに接続可能な複数のＭＯＳＦＥＴ７」と本願補正発明の「各々が電源（４５）及び第２休止電位（４３）のいずれにも接続可能である複数の第２スイッチ（４０）」とは、「各々が電源（４５）に接続可能である複数の第２スイッチ（４０）」という点で共通する。
　
　引用発明１において、有機物からなる複数の発光ダイオードＤは、マトリックス状に挟持されているから、引用発明１の「行を構成する複数のデータ電極」、「列を構成する複数の走査電極」、「有機薄膜ＥＬ素子」は、それぞれ本願補正発明の「有機発光ダイオードの行（１３）」、「有機発光ダイオードの列（１４）」、「アレイ（１０）」に相当する。
　引用発明１の「有機物からなる複数の発光ダイオードＤ」は、本願補正発明の「有機発光ダイオード（１５）」に相当する。
　したがって、引用発明１の「行を構成する複数のデータ電極及び列を構成する複数の走査電極により、有機物からなる複数の発光ダイオードＤがマトリックス状に挟持された有機薄膜ＥＬ素子」は、本願補正発明の「有機発光ダイオードの行（１３）及び有機発光ダイオードの列（１４）に接続された複数の有機発光ダイオード（１５）を含むアレイ（１０）」に相当する。
　
　引用発明１の「陽極」、「陰極」は、それぞれ本願補正発明の「第１接点（１４）」、「第２接点（１３）」に相当する。そして、引用発明１において、電極切替部はデータ電極毎に有し、ＭＯＳＦＥＴ７は走査電極毎に有するから、引用発明１の「データ電極に接続された陽極」、「走査電極に接続された陰極」は、それぞれ本願補正発明の「複数の第１スイッチ（３５）の１つに接続された第１接点（１４）」、「複数の第２スイッチ（４０）の１つに接続された第２接点（１３）」に相当する。
　したがって、引用発明１の「各有機物からなる発光ダイオードＤが、前記データ電極に接続された陽極と、前記走査電極に接続された陰極とを有する、前記有機薄膜ＥＬ素子」は、本願補正発明の「各有機発光ダイオード（１５）が、前記複数の第１スイッチ（３５）の１つに接続された第１接点（１４）と、前記複数の第２スイッチ（４０）の１つに接続された第２接点（１３）とを有する、前記アレイ（１０）」に相当する。
　
　引用発明１の「制御部」は、本願補正発明の「制御装置（２６）」に相当する。そして、引用発明１において、制御部は、複数の電極切替部及び複数のＭＯＳＦＥＴ７に電極切替信号を送出するから、制御部と、複数の電極切替部及び複数のＭＯＳＦＥＴ７とは接続されていることは明らかである。
　したがって、引用発明１の「複数の電極切替部及び複数のＭＯＳＦＥＴ７に電極切替信号を送出する制御部」は、本願補正発明の「複数の第１及び第２スイッチ（３５，４０）に接続された制御装置（２６）」に相当する。
　
　引用発明１の「駆動電源系統」と本願補正発明の「電流源（３７）」とは、「電源」という点で共通する。
　したがって、引用発明１の「前記複数の電極切替部の内選択された電極切替部を前記駆動電源系統のみに接続しながら、前記複数の電極切替部の残りの電極切替部全てを前記アースに接続されただけの状態で保持し」と、本願補正発明の「前記複数の第１スイッチ（３５）の内選択されたスイッチを前記電流源（３７）のみに接続しながら、前記複数の第１スイッチ（３５）の残りのスイッチ全てを前記第１休止電位（３８）に接続されただけの状態で保持し」とは、「前記複数の第１スイッチ（３５）の内選択されたスイッチを前記電源のみに接続しながら、前記複数の第１スイッチ（３５）の残りのスイッチ全てを前記第１休止電位（３８）に接続されただけの状態で保持し」という点で共通する。
　
　引用発明１の「前記複数のＭＯＳＦＥＴ７の内選択されたＭＯＳＦＥＴ７を前記アースのみに接続しながら、前記複数のＭＯＳＦＥＴ７の残りのＭＯＳＦＥＴ７全てを非選択とし、非選択の走査電極をプルアップ抵抗Ｒｃを介して逆バイアスの駆動電圧ＶＢにラッチする状態で保持する制御部」と、本願補正発明の「前記複数の第２スイッチ（４０）の内選択されたスイッチを前記電源（４５）のみに接続しながら、前記複数の第２スイッチ（４０）の残りのスイッチ全てを前記第２休止電位（４３）に接続されただけの状態で保持する制御装置（２６）」とは、「前記複数の第２スイッチ（４０）の内選択されたスイッチを前記電源（４５）のみに接続する制御装置（２６）」という点で共通する。
　
　引用発明１の「選択された電極切替部、ＭＯＳＦＥＴ７との間の有機物からなる発光ダイオードＤが、データ電極が順バイアス電圧ＶＢにラッチされ、走査電極がアースされることにより発光し」は、本願補正発明の「選択されたスイッチ（３５，４０）間に結合された有機発光ダイオード（１５）が、順方向にバイアスされ」に相当する。
　
　引用発明１の「残りの電極切替部、ＭＯＳＦＥＴ７との間の有機物からなる発光ダイオードＤは、逆バイアス電圧ＶＢが印加されている」は、本願補正発明の「残りのスイッチ間に結合された有機発光ダイオードが、逆バイアスされている」に相当する。
　
　引用発明１の対象である「有機物からなる発光ダイオードがマトリックス状に挟持された有機薄膜ＥＬ素子の駆動装置」は、本願補正発明の対象である「有機発光ダイオード・アレイ（１０）用駆動装置（１２）」に相当する。
　
　したがって、本願補正発明と引用発明１の両者は、以下の一致点で一致し、以下の相違点で相違する。
　
＜一致点＞
「各々が電源及び第１休止電位（３８）のいずれにも接続可能である複数の第１スイッチ（３５）と、
　各々が電源（４５）に接続可能である複数の第２スイッチ（４０）と、
　有機発光ダイオードの行（１３）及び有機発光ダイオードの列（１４）に接続された複数の有機発光ダイオード（１５）を含むアレイ（１０）であって、各有機発光ダイオード（１５）が、前記複数の第１スイッチ（３５）の１つに接続された第１接点（１４）と、前記複数の第２スイッチ（４０）の１つに接続された第２接点（１３）とを有する、前記アレイ（１０）と、
　前記複数の第１及び第２スイッチ（３５，４０）に接続された制御装置（２６）であって、前記複数の第１スイッチ（３５）の内選択されたスイッチを前記電源のみに接続しながら、前記複数の第１スイッチ（３５）の残りのスイッチ全てを前記第１休止電位（３８）に接続されただけの状態で保持し、且つ前記複数の第２スイッチ（４０）の内選択されたスイッチを前記電源（４５）のみに接続する制御装置（２６）と、を備え、
　選択されたスイッチ（３５，４０）間に結合された有機発光ダイオード（１５）が、順方向にバイアスされ、且つ残りのスイッチ間に結合された有機発光ダイオードが、逆バイアスされている、
有機発光ダイオード・アレイ（１０）用駆動装置（１２）。」
　
＜相違点１＞
　第１スイッチ（３５）が接続可能な電源で、複数の第１スイッチ（３５）の内選択されたスイッチを前記電源のみに接続する対象である電源が、本願補正発明では、電流源（３７）であるのに対して、引用発明１では、駆動電圧ＶＢをもつ駆動電源系統である点。
　
＜相違点２＞
　第２スイッチが、本願補正発明では、電源（４５）及び第２休止電位（４３）のいずれにも接続可能であるのに対して、引用発明１では、アースのみに接続可能である点。
　
＜相違点３＞
　複数の第２スイッチ（４０）の内選択されたスイッチを電源（４５）に接続する制御装置（２６）に関して、前記制御装置（２６）は、前記複数の第２スイッチ（４０）の残りのスイッチ全てを、本願補正発明では、前記第２休止電位（４３）に接続された状態で保持するのに対して、引用発明１では、非選択とし、非選択の走査電極をプルアップ抵抗Ｒｃを介して逆バイアスの駆動電圧ＶＢにラッチする状態で保持する点。
　
（４）当審の判断
ア　相違点１
　表示装置の駆動回路において発光素子を電流源により駆動することは、特開平７−３６４１０号公報の段落【０００７】−【０００９】に記載されているように周知であるから、引用発明１において、発光ダイオードＤを発光させる電源を電流源とすることは、当業者が容易に想到し得ることである。
　
　したがって、相違点１に係る本願補正発明の発明特定事項は、当業者であれば引用発明１及び周知技術に基づいて容易に想到し得ることである。
　
イ　相違点２、３
　相違点２、３を併せて検討する。
　引用刊行物１の上記記載事項４には、非選択の走査電極に駆動電圧ＶＢを与えるような構成として、プルアップ抵抗Ｒｃに限らず、ある電極の選択に同期してトランジスタ等のスイッチング素子によるものでもよいと記載されている。そして、選択される走査電極や、非選択の走査電極にそれぞれ異なる駆動電圧を与える構成として、異なる駆動電圧のいずれにも接続可能であるスイッチを用いることは、特開昭５６−１３８７９２号公報の第１図及びその説明に記載されているように周知であるから、引用発明１に前記周知技術を適用して、非選択の走査電極に駆動電圧ＶＢを与える構成として、プルアップ抵抗Ｒｃを用いる構成に代えて、電源（４５）及び第２休止電位（４３）のいずれにも接続可能な第２スイッチを用いる構成にすることは、当業者が容易に想到し得ることである。
　
　したがって、相違点２、３に係る本願補正発明の発明特定事項は、当業者であれば引用発明１及び周知技術に基づいて容易に想到し得ることである。
　
　そして、本願補正発明によって奏される効果は、引用刊行物１の記載から当業者が予測し得る程度のものに過ぎない。
　
　したがって、本願補正発明は、引用発明１及び周知技術に基づいて当業者が容易に発明をすることができたものであるから、特許法第２９条第２項の規定により特許出願の際独立して特許を受けることができない。
　
（５）まとめ
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するので、特許法第１５９条第１項で読み替えて準用する特許法第５３条第１項の規定により却下されるべきものである。
　
３　本願発明
　本件補正は上記のとおり却下され、また平成１８年１１月２９日付けの手続補正は、平成１９年５月１４日付けの補正の却下の決定により却下されたので、本願の請求項１に係る発明（以下、「本願発明」という。）は、平成１８年３月８日付けの手続補正により補正された明細書及び図面の記載からみて、請求項１に記載されたとおりのものと認める。（前記「２」の項参照。）
　
４　引用刊行物に記載された発明
　引用刊行物１に記載された事項は、前記「２（２）」に記載されたとおりである。
　
５　対比・判断
　本願発明は、前記「２」で検討した本願補正発明の「複数の第１スイッチ（３５）の内選択されたスイッチを前記電流源（３７）のみに接続」から、「のみ」との限定を省き、「複数の第１スイッチ（３５）の残りのスイッチ全てを前記第１休止電位（３８）に接続されただけの状態で保持」から、「だけ」との限定を省き、「複数の第２スイッチ（４０）の内選択されたスイッチを前記電源（４５）のみに接続」から、「のみ」との限定を省き、「複数の第２スイッチ（４０）の残りのスイッチ全てを前記第２休止電位（４３）に接続されただけの状態で保持」から、「だけ」との限定を省いたものである。
　
　そうすると、本願発明の発明特定事項をすべて含み、さらに上記限定を付加したものに相当する本願補正発明が、前記「２」に記載したとおり、引用発明１及び周知技術に基づいて当業者が容易に発明をすることができたものであるから、本願発明も同様の理由により、引用発明１及び周知技術に基づいて当業者が容易に発明をすることができたものである。
　
６　むすび
　したがって、本願発明は、引用発明１及び周知技術に基づいて当業者が容易に発明をすることができたものであるから、特許法第２９条第２項の規定により特許を受けることができない。
　したがって、他の請求項に係る発明について審理するまでもなく、本願は拒絶すべきものである。
　
　よって、結論のとおり審決する。